(57)【特許請求の範囲】
【請求項１】
右眼用の画像と左眼用の画像を分離して視認させるための表示補助装置との協働によって３Ｄ表示を実現する表示装置であって、
前記表示補助装置が検出する該表示補助装置のローリング方向の傾きを含む状態情報を受信する受信手段と、
前記受信手段が受信した、前記状態情報に含まれる前記傾きが、前記３Ｄ表示を鑑賞者が認識できる９０°単位の所定角度に対して許容範囲内にあるか否かを判別する傾き状態判別手段と、
前記傾き状態判別手段が、前記傾きが前記許容角度範囲内にあると判別したときに、前記傾きの方向と略同じ方向になるように、９０°単位で、画像の表示方向を制御するとともに、当該制御された画像の表示方向に応じて、前記３Ｄ表示をする場合の表示の視差の方向を制御する表示制御をおこなう表示制御手段と、
を備えることを特徴とする表示装置。
【請求項２】
前記表示制御手段は、
前記傾き状態判別手段が、前記傾きが前記許容範囲内にあると判別した場合、当該傾きに応じて、前記３Ｄ表示にかかる画像の表示サイズを制御する、
ことを特徴とする請求項１に記載の表示装置。
【請求項３】
前記表示制御手段は、
当該傾きに応じて、前記３Ｄ表示にかかる画像の表示サイズを当該表示装置の画面に収まるようにサイズに制御する、
ことを特徴とする請求項２に記載の表示装置。
【請求項４】
前記表示制御手段は、
当該傾きがどのような傾きであっても、前記３Ｄ表示にかかる画像の表示サイズを当該表示装置の画面に収まるようなサイズまでサイズに制御し、当該傾きによらず、制御されたサイズで、画像の表示方向を制御して表示させる、
ことを特徴とする請求項１乃至３のいずれか１項に記載の表示装置。
【請求項５】
当該表示装置は、
前記傾き状態判別手段が、前記傾きが前記許容範囲内にないと判別した場合、該表示補助装置を装着している鑑賞者に対し、注意喚起を行う、
ことを特徴とする請求項１乃至４のいずれか１項に記載の表示装置。
【請求項６】
当該表示装置は、
前記表示制御手段で注意喚起情報を出力することによって、注意喚起を行う、
ことを特徴とする請求項５に記載の表示装置。
【請求項７】
当該表示装置は、前記鑑賞者に対し音声により注意喚起を行う、
ことを特徴とする請求項５または６に記載の表示装置。
【請求項８】
前記表示制御手段は、
前記傾き状態判別手段が、前記傾きが前記許容範囲内にないと判別した場合、前記３Ｄ表示の効果を低減させる、
ことを特徴とする請求項１乃至７のいずれか１項に記載の表示装置。
【請求項９】
前記状態情報は、前記表示装置の表示画面を鑑賞する鑑賞者への前記表示補助装置の装着状態を含み、
当該表示装置は、
前記状態情報に含まれる前記装着状態が適切であるか否かを判別する装着状態判別手段をさらに備え、
前記装着状態判別手段が、前記装着状態が適切ではないと判別した場合、該表示補助装置を装着している鑑賞者に対し、注意喚起を行う、
ことを特徴とする請求項１乃至８のいずれか１項に記載の表示装置。
【請求項１０】
前記状態情報は、前記表示装置の表示画面を鑑賞する鑑賞者への前記表示補助装置の装着状態を含み、
当該表示装置は、
前記状態情報に含まれる前記装着状態が適切であるか否かを判別する装着状態判別手段をさらに備え、
前記装着状態判別手段が、前記装着状態が適切ではないと判別した場合、
前記表示制御手段は、前記３Ｄ表示の効果を低減させる、
ことを特徴とする請求項１乃至８のいずれか１項に記載の表示装置。
【請求項１１】
表示部の方向を検出する方向検出手段をさらに備え、
前記表示制御手段は、前記状態情報と前記方向検出手段の検出結果とに基づいて、画像の表示方向を制御するとともに、前記３Ｄ表示をする場合の表示の視差の方向を制御する表示制御をおこなう、
ことを特徴とする請求項１乃至１０のいずれか１項に記載の表示装置。
【請求項１２】
前記表示制御手段は、前記状態情報と前記方向検出手段の検出結果とに基づいて、当該表示装置の画面に収まるサイズが大きくなるように、画像の表示方向を制御するとともに、前記３Ｄ表示をする場合の表示の視差の方向を制御する表示制御をおこなう、
ことを特徴とする請求項１１に記載の表示装置。
【請求項１３】
前記表示制御手段は、予め画像の特性に結び付けて設定された画像の表示方向をさらに考慮して、画像の表示方向を制御するとともに、前記３Ｄ表示をする場合の表示の視差の方向を制御する表示制御をおこなう、
ことを特徴とする請求項１１または１２に記載の表示装置。
【請求項１４】
表示装置による右眼用の画像と左眼用の画像を分離することで３Ｄ表示を実現する表示補助装置であって、
前記表示装置の表示画面を鑑賞する鑑賞者への前記表示補助装置の装着状態を複数の箇所で検出するとともに、該表示補助装置のローリング方向の傾きを検出する装着状態検出手段と、
前記装着状態検出手段により検出される検出結果を前記表示装置に送信する送信手段と、
を備えることを特徴とする表示補助装置。
【請求項１５】
前記装着状態検出手段は、前記表示装置の表示画面を鑑賞する鑑賞者への前記表示補助装置の装着状態を当該表示補助装置の鼻あての位置とつるの位置で検出する、
ことを特徴とする請求項１４に記載の表示補助装置。
【請求項１６】
表示装置による右眼用の画像と左眼用の画像を分離することで３Ｄ表示を実現する表示補助装置であって、
該表示補助装置のローリング方向の傾きを検出する状態検出手段と、
前記状態検出手段により検出される前記傾きが前記３Ｄ表示を鑑賞者が認識できる９０°単位の所定角度に対して許容範囲内にあるか否かを判別する状態判別手段と、
を備え、
当該表示補助装置は、前記状態判別手段が、前記傾きが前記許容範囲内にないと判別した場合、鑑賞者に対し注意喚起を行う、
ことを特徴とする表示補助装置。
【請求項１７】
該状態検出手段が検出した前記傾きを、前記表示装置に送信する送信手段と、
前記表示装置の表示画面を鑑賞する鑑賞者への前記表示補助装置の装着状態を検出する装着状態検出手段と、
をさらに備え、
前記送信手段は、前記装着状態判別手段が、前記装着状態が適切であると判別した場合、前記傾きを、前記表示装置に送信する、
ことを特徴とする請求項１６に記載の表示補助装置。
【請求項１８】
表示装置による右眼用の画像と左眼用の画像を分離することで３Ｄ表示を実現する表示補助装置であって、
前記表示装置の表示画面を鑑賞する鑑賞者への前記表示補助装置の装着状態を複数の箇所で検出する装着状態検出手段と、
前記装着状態検出手段により検出される前記装着状態が適切か否かを判別する装着状態判別手段と、
を備え、
当該表示補助装置は、前記装着状態判別手段が、前記装着状態が適切でないと判別した場合、鑑賞者に対し注意喚起を行う、
ことを特徴とする表示補助装置。
【請求項１９】
当該表示補助装置は、鑑賞者に対し音声により注意喚起を行う、
ことを特徴とする請求項１６乃至１８のいずれか１項に記載の表示補助装置。
【請求項２０】
表示装置による右眼用の画像と左眼用の画像を分離することで３Ｄ表示を実現する表示補助装置であって、
時分割して表示される画像に同期してシャッタ動作をおこなうための切替同期信号を生成する信号生成手段と、
該表示補助装置のローリング方向の傾き、及び／又は、前記表示装置の表示画面を鑑賞する鑑賞者への前記表示補助装置の装着状態を検出する状態検出手段と、
前記信号生成手段で生成された前記切替同期信号とともに、前記状態検出手段により検出される検出結果を送信する送信手段と、
を備えることを特徴とする表示補助装置。
【請求項２１】
右眼用の画像と左眼用の画像を表示することで３Ｄ表示をおこなう表示装置と、
前記表示された右眼用の画像と左眼用の画像を分離して視認させるための表示補助装置と、から構成される表示システムであって、
前記表示装置が、請求項１乃至１３のいずれか１項に記載の表示装置であり、
前記表示補助装置が、
該表示補助装置のローリング方向の傾きを検出する状態検出手段と、
前記状態検出手段で検出された前記傾きを前記表示装置に送信する送信手段と、
を備える、
ことを特徴とする表示システム。
【請求項２２】
右眼用の画像と左眼用の画像を表示することで３Ｄ表示をおこなう表示装置と、
前記表示された右眼用の画像と左眼用の画像を分離して視認させるための表示補助装置と、から構成される表示システムであって、
前記表示補助装置が、請求項１４乃至２０のいずれか１項に記載の表示補助装置である、
ことを特徴とする表示システム。
【発明の詳細な説明】
【技術分野】
【０００１】
本発明は、表示装置、表示補助装置、および、表示システムに関し、特に、３Ｄ表示に好適な表示装置、表示補助装置、および、表示システムに関する。
【背景技術】
【０００２】
デジタル映像技術の発展により、表示画像を立体的に認識させる、いわゆる３Ｄ表示技術が普及しつつある。３Ｄ表示技術は、主に、テレビジョン表示装置やパーソナルコンピュータなどを中心に採用されつつあるが、表示画面を伴うあらゆる装置（例えば、デジタルフォトフレームなど）に幅広く適用されうる可能性をもっている。
【０００３】
３Ｄ表示を実現する方式には主に、表示画面を見る鑑賞者が装着する専用メガネなどの表示補助装置を利用して３Ｄ表示を認識させるもの（メガネ型）と、このような表示補助装置を用いずに裸眼で３Ｄ表示を認識させるもの（裸眼型）があり、テレビジョン表示装置などにおいてはメガネ型の３Ｄ表示方式が多く採用されている。
【０００４】
メガネ型の３Ｄ表示方式においては、いわゆるフレームシーケンシャル方式等の時分割方式と呼ばれる、右眼用の画像と左眼用の画像とを交互に表示する表示装置に同期して、右眼用の画像を右眼のみに到達させ、左眼用の画像を左眼のみに到達させるように動作する液晶シャッタなどをメガネのレンズ部に組み込んだシャッタ方式（例えば、特許文献１）が、より高度な３Ｄ表示を実現する方式として一般的となっている。特にテレビジョン表示装置においては、鑑賞位置に制限がないという点で裸眼型よりもメガネ型が適しており、さらには、画質の観点から、空間解像度の劣化がない時分割方式が適している。
【０００５】
時分割方式における右眼用画像と左眼用画像は、映像撮影時の水平方向での両眼視差に応じて左右方向にずれた画像であるため、このような映像を３Ｄ表示として認識するには、表示画面の水平方向と鑑賞者の左右方向が一定範囲内で同じ方向（以下、「正規視認範囲」とする）となる姿勢で鑑賞する必要がある。すなわち、表示画面に対する鑑賞者の姿勢が一定範囲内で固定されていなければならないため、鑑賞姿勢の自由度が低いという不都合がある。
【０００６】
さらに、正規視認範囲とならない姿勢で鑑賞することで、映像における両眼視差の方向と鑑賞者の左右方向とが乖離してしまうと、３Ｄ表示として認識されないだけでなく、不自然にずれた画像を連続的に視認することになり、視覚疲労や眼精疲労などといった生体的な悪影響をもたらすおそれがある。
【０００７】
また、３Ｄ表示を鑑賞した際に立体的に認識される対象は、実際に立体物として現れているのではなく、両眼視差から脳内で立体的に認識されるものであるため、３Ｄ表示としての認識は、生体的な立体視機能によってなされている。両眼視差による立体視機能の形成は、およそ５〜６歳頃までに完成されるといわれているため、立体視機能の形成が未熟な乳幼児、あるいは、立体視機能が衰えた高齢者などが３Ｄ表示を鑑賞することも生体的に悪影響となるおそれがある。よって、このような条件に該当する者が３Ｄ表示を鑑賞してしまうことを効果的に防止する手法の確立も望まれている。
【先行技術文献】
【特許文献】
【０００８】
【特許文献１】特開２０１０−６２７６７号公報
【発明の概要】
【発明が解決しようとする課題】
【０００９】
本発明は、上記実状を鑑みてなされたものであり、３Ｄ表示を適切に鑑賞できる表示装置、表示補助装置、および、表示システムを提供することを目的とする。
【課題を解決するための手段】
【００１１】
上記目的を達成するため、本発明の第１の観点にかかる表示装置は、
右眼用の画像と左眼用の画像を分離して視認させるための表示補助装置との協働によって３Ｄ表示を実現する表示装置であって、
前記表示補助装置が検出する該表示補助装置のローリング方向の傾きを含む状態情報を受信する受信手段と、
前記受信手段が受信した、前記状態情報に含まれる前記傾きが、前記３Ｄ表示を鑑賞者が認識できる９０°単位の所定角度に対して許容範囲内にあるか否かを判別する傾き状態判別手段と、
前記傾き状態判別手段が、前記傾きが前記許容角度範囲内にあると判別したときに、前記傾きの方向と略同じ方向になるように、９０°単位で、画像の表示方向を制御するとともに、当該制御された画像の表示方向に応じて、前記３Ｄ表示をする場合の表示の視差の方向を制御する表示制御をおこなう表示制御手段と、
を備えることを特徴とする。
【００１２】
上記目的を達成するため、本発明の第２の観点にかかる表示補助装置は、
表示装置による右眼用の画像と左眼用の画像を分離することで３Ｄ表示を実現する表示補助装置であって、
前記表示装置の表示画面を鑑賞する鑑賞者への前記表示補助装置の装着状態を複数の箇所で検出するとともに、該表示補助装置のローリング方向の傾きを検出する装着状態検出手段と、
前記装着状態検出手段により検出される検出結果を前記表示装置に送信する送信手段と、
を備えることを特徴とする。
上記目的を達成するため、本発明の第３の観点にかかる表示補助装置は、
表示装置による右眼用の画像と左眼用の画像を分離することで３Ｄ表示を実現する表示補助装置であって、
該表示補助装置のローリング方向の傾きを検出する状態検出手段と、
前記状態検出手段により検出される前記傾きが前記３Ｄ表示を鑑賞者が認識できる９０°単位の所定角度に対して許容範囲内にあるか否かを判別する状態判別手段と、
を備え、
当該表示補助装置は、前記状態判別手段が、前記傾きが前記許容範囲内にないと判別した場合、鑑賞者に対し注意喚起を行う、
ことを特徴とする。
上記目的を達成するため、本発明の第４の観点にかかる表示補助装置は、
表示装置による右眼用の画像と左眼用の画像を分離することで３Ｄ表示を実現する表示補助装置であって、
前記表示装置の表示画面を鑑賞する鑑賞者への前記表示補助装置の装着状態を複数の箇所で検出する装着状態検出手段と、
前記装着状態検出手段により検出される前記装着状態が適切か否かを判別する装着状態判別手段と、
を備え、
当該表示補助装置は、前記装着状態判別手段が、前記装着状態が適切でないと判別した場合、鑑賞者に対し注意喚起を行う、
ことを特徴とする。
上記目的を達成するため、本発明の第５の観点にかかる表示補助装置は、
表示装置による右眼用の画像と左眼用の画像を分離することで３Ｄ表示を実現する表示補助装置であって、
時分割して表示される画像に同期してシャッタ動作をおこなうための切替同期信号を生成する信号生成手段と、
該表示補助装置のローリング方向の傾き、及び／又は、前記表示装置の表示画面を鑑賞する鑑賞者への前記表示補助装置の装着状態を検出する状態検出手段と、
前記信号生成手段で生成された前記切替同期信号とともに、前記状態検出手段により検出される検出結果を送信する送信手段と、
を備えることを特徴とする。
上記目的を達成するため、本発明の第６の観点にかかる表示システムは、
右眼用の画像と左眼用の画像を表示することで３Ｄ表示をおこなう表示装置と、
前記表示された右眼用の画像と左眼用の画像を分離して視認させるための表示補助装置と、から構成される表示システムであって、
前記表示装置が、上記記載の表示装置であり、
前記表示補助装置が、
該表示補助装置のローリング方向の傾きを検出する状態検出手段と、
前記状態検出手段で検出された前記傾きを前記表示装置に送信する送信手段と、
を備える、
ことを特徴とする。
上記目的を達成するため、本発明の第７の観点にかかる表示システムは、
右眼用の画像と左眼用の画像を表示することで３Ｄ表示をおこなう表示装置と、
前記表示された右眼用の画像と左眼用の画像を分離して視認させるための表示補助装置と、から構成される表示システムであって、
前記表示補助装置が、上記記載の表示補助装置である、
ことを特徴とする。
【発明の効果】
【００１３】
本発明によれば、３Ｄ表示を適切に鑑賞することができる。
【図面の簡単な説明】
【００１４】
【図１】本発明の実施形態１にかかる表示システムを説明するための図であり、（ａ）は、表示装置および表示補助装置の例を示した斜視図であり、（ｂ）は、表示装置と表示補助装置の位置関係を模式的に示した図である。
【図２】図１に示した表示装置を説明するための図であり、（ａ）は、表示装置の外観構成の例を示す図であり、（ｂ）は、表示装置の内部構成を示すブロック図である。
【図３】図２（ｂ）に示した制御部で実現される機能を示す機能ブロック図である。
【図４】図１に示した表示補助装置を説明するための図であり、（ａ）および（ｂ）は、表示補助装置の外観構成の例を示す図であり、（ｃ）は、表示補助装置の内部構成を示すブロック図である。
【図５】図４（ｃ）に示した制御部で実現される機能を示す機能ブロック図である。
【図６】本発明の実施形態１にかかる「３Ｄ表示処理」を説明するためのフローチャートである。
【図７】図６に示した「３Ｄ表示処理」において実行される「表示制御処理」を説明するためのフローチャートである。
【図８】図７に示した「表示制御処理」における表示補助装置の姿勢を説明するための図であり、（ａ）は、姿勢の基準となる０°を説明するための図であり、（ｂ）および（ｃ）は、０°を基準とした正規視認範囲の例を説明するための図である。
【図９】図７に示した「表示制御処理」における表示補助装置の姿勢を説明するための図であり、（ａ）は、姿勢の基準となる＋９０°を説明するための図であり、（ｂ）および（ｃ）は、＋９０°を基準とした正規視認範囲の例を説明するための図である。
【図１０】図７に示した「表示制御処理」における表示補助装置の姿勢を説明するための図であり、（ａ）は、姿勢の基準となる−９０°を説明するための図であり、（ｂ）および（ｃ）は、−９０°を基準とした正規視認範囲の例を説明するための図である。
【図１１】図７に示した「表示制御処理」における動作を説明するための図であり、（ａ）は、表示補助装置の姿勢が０°±α°である場合の表示部の表示例を示し、（ｂ）は、表示補助装置の姿勢が＋９０°±α°である場合の表示部の表示例を示し、（ｃ）表示補助装置の姿勢が−９０°±α°である場合の表示部の表示例を示す。
【図１２】図７に示した「表示制御処理」における表示例を示す図であり、（ａ）は、注意喚起画面の表示例を示し、（ｂ）は、２Ｄ表示の表示例を示し、（ｃ）は、３Ｄ表示の効果を低減させた表示例を示す。
【図１３】本発明の実施形態２にかかる表示補助装置の制御部によって実現される機能を示す機能ブロック図である。
【図１４】図７に示した「表示制御処理」における表示制御の変形例を説明するための図であり、（ａ）は、予め縮小された画像サイズで正立表示した場合の表示例を示し、（ｂ）および（ｃ）は、画像を９０°回転させて表示した場合の表示例を示す。
【図１５】本発明の実施形態３にかかる表示装置を説明するための図であり、（ａ）は、実施形態３にかかる表示装置の外観構成を示す図であり、（ｂ）および（ｃ）は、当該表示装置の表示部が回転する様子を模式的に示した図である。
【図１６】本発明の実施形態３にかかる表示制御の例を示す図であり、（ａ）および（ｂ）は、表示部を回転させずに、表示補助装置の姿勢が変化した場合の表示部の表示例を模式的に示した図である。
【図１７】本発明の実施形態３にかかる表示制御の他の例を示す図であり、（ａ）は、表示部が横長方向で、表示補助装置の姿勢が０°±α°である場合の表示部の表示例を示し、（ｂ）は、（ａ）に示した状態から、表示補助装置の姿勢を変化させずに、表示部を回転させた場合の表示部の表示例を模式的に示し、（ｃ）は、（ｂ）に示した状態から、表示補助装置の姿勢が変化した場合の表示部の表示例を示す。
【図１８】本発明の実施形態３の変形例にかかる表示制御の他の例を示す図であり、（ａ）は、表示部が横長方向の状態で、ポートレート画像を表示させた場合の表示部の通常の２Ｄ表示例を示し、（ｂ）は、（ａ）に示したポートレート画像がポートレート設定のある場合の表示部の３Ｄ表示例を示し、（ｃ）は、（ｂ）に示した状態から、表示補助装置の姿勢が変化した場合の表示部の３Ｄ表示例を示す。
【発明を実施するための形態】
【００１５】
本発明にかかる実施形態を、図面を参照して以下に説明する。
【００１６】
（実施形態１）
本発明の実施形態１にかかる表示システム１を、図１を参照して説明する。図１は、実施形態１にかかる表示システム１を模式的に示した図である。
【００１７】
本実施形態にかかる表示システム１は、鑑賞者の脳内で表示画像を立体的に認識させる、いわゆる３Ｄ表示（立体表示）をおこなうことのできる表示システムであり、図１（ａ）に示すように、表示装置１００と表示補助装置２００とから構成される。
【００１８】
本実施形態にかかる表示装置１００は、例えば、据え置き型のテレビジョン表示装置であるものとし、映像（画像）の表示をデジタル処理によっておこなうものとする。また、本実施形態にかかる表示補助装置２００は、メガネ型の装置（３Ｄメガネ）であり、図１（ｂ）に示すように、通常のメガネを装着する場合と同様の形態で、表示装置１００の表示画面を見る者（鑑賞者）が装着する。
【００１９】
本実施形態にかかる表示システム１では、表示装置１００と表示補助装置２００との協働により３Ｄ表示を実現する。すなわち、表示装置１００が右眼用画像と左眼用画像とを交互に表示し（時分割方式）、表示補助装置２００が表示装置１００の表示に同期してシャッタ動作をおこなうことで（シャッタ方式）、右眼用画像と左眼用画像が分離して視認され、鑑賞者に３Ｄ表示として認識される。
【００２０】
このような表示システム１を構成している表示装置１００と表示補助装置２００それぞれの構成を、図面を参照して説明する。
【００２１】
まず、表示装置１００の構成を、図２および図３を参照して説明する。図２（ａ）は、表示装置１００の外観構成を模式的に示した図であり、図２（ｂ）は、表示装置１００の内部構成を示したブロック図である。図２に示すように、表示装置１００は、制御部１１０、映像取得部１２０、表示部１３０、通信部１４０、などから構成される。
【００２２】
制御部１１０は、例えば、ＣＰＵ（Central Processing Unit：中央演算処理装置）や記憶装置（主記憶装置および補助記憶装置）などから構成され、論理的な処理の実行により各種の制御信号を生成し、表示装置１００の各部を制御する。なお、制御対象がアナログ回路である場合には、適宜、ＤＡＣ（Digital-Analog Converter：デジタル−アナログ変換器）などによってアナログの制御信号に変換されるものとする。
【００２３】
映像取得部１２０は、表示装置１００にて表示させる映像（画像）を示すデータや信号を取得するための構成である。本実施形態にかかる表示装置１００はテレビジョン表示装置であるため、例えば、地上デジタルテレビジョン放送などのデジタル放送を受信するために必要な既知の構成（例えば、受信回路やチューナ回路、復調回路、など）が映像取得部１２０の主な構成となる。
【００２４】
この他、表示装置１００に接続される外部装置（例えば、各種のディスク媒体（例えば、ＤＶＤ（Digital Versatile Disc：デジタル多目的ディスク）やハードディスクなど）や記憶媒体（例えば、メモリカードなど）に記録されている映像データを読み取って再生する映像再生装置（プレーヤ）など）から映像（画像）データを取得してもよく、このような外部装置との接続に必要となる既知の構成（例えば、接続端子や信号変換回路、復調回路、など）が映像取得部１２０に含まれていてもよい。
【００２５】
なお、上述したような映像再生装置（プレーヤ）が表示装置１００内に構成されていてもよく、この場合、映像再生装置（プレーヤ）を実現するために必要な既知の構成（例えば、各種の媒体をマウントする装置や記憶装置、媒体・記憶装置を読み書きする装置、など）が映像取得部１２０に含まれる。
【００２６】
また、映像（画像）データを、例えば、インターネットなどの通信ネットワークから取得してもよく、この場合、通信ネットワークとの接続および通信の実行に必要となる既知の構成（例えば、接続端子や通信装置、復調回路、など）が映像取得部１２０に含まれる。
【００２７】
表示部１３０は、例えば、液晶表示パネル、プラズマパネル、有機ＥＬパネルなどのフラットパネルディスプレイなどから構成され、映像取得部１２０によって取得された映像（画像）を表示出力する。上述したように、本実施形態にかかる表示システム１は、シャッタ方式による３Ｄ表示をおこなうので、当該３Ｄ表示をおこなう場合は、制御部１１０の制御（詳細後述）により、表示部１３０において右眼用画像と左眼用画像が交互に表示される。
【００２８】
通信部１４０は、表示補助装置２００と通信するための構成である。本実施形態にかかる通信部１４０は、例えば、赤外線通信によってワイヤレス通信をおこなうものとし、このような赤外線通信を実現するための既知の構成（例えば、信号変換回路や赤外線受発光装置、など）から通信部１４０が構成される。
【００２９】
この場合、通信部１４０の受発光装置は、例えば、図２（ａ）において参照番号１４０で示した位置に配置されるものとする。すなわち、図１（ｂ）に示したような、表示補助装置２００を装着した鑑賞者が表示装置１００と対面した際に、表示補助装置２００に向かって発光することができ、かつ、表示補助装置２００からの発光を受光することができる位置に受発光装置が配置される。
【００３０】
なお、表示補助装置２００との通信方式は任意であり、電波を用いる無線方式などであってもよい。表示補助装置２００との通信は、このようなワイヤレス通信であることが望ましいが、表示補助装置２００と所定のケーブルなどで接続して通信する有線通信であってもよい。
【００３１】
ここで、シャッタ方式による既存の３Ｄ表示システムにおいては、表示装置における表示に表示補助装置でのシャッタ動作を同期させるための信号を表示装置から表示補助装置に送信している。本実施形態にかかる表示システム１でも同様の動作をおこなうため、既存の表示システムで用いられているものと同様の構成に基づいて通信部１４０が実現されるが、本実施形態にかかる表示システム１では、表示補助装置２００における検出結果に基づいて表示制御をおこなう（詳細後述）ので、表示補助装置２００との間で信号を送受信する必要がある。よって、表示装置１００の通信部１４０は、表示補助装置２００への送信だけでなく、表示補助装置２００から送信される信号を受信できる構成を有する。
【００３２】
以上の構成による表示装置１００の動作にかかる各種処理は、制御部１１０がプログラムを実行することで実現される。制御部１１０によって実現される機能を、図３を参照して説明する。図３は、制御部１１０によって実現される機能を示す機能ブロック図である。
【００３３】
図示するように、本実施形態では、状態判別部１１１、出力画像生成部１１２、表示制御部１１３、などが制御部１１０によって実現される。
【００３４】
状態判別部１１１は、通信部１４０が表示補助装置２００から受信した信号（詳細後述）に基づき、表示補助装置２００の状態を判別し、判別結果に応じた指示を出力画像生成部１１２および表示制御部１１３に送出する。本実施形態では、表示補助装置２００から送られる信号に基づいて、表示補助装置２００の装着状態や姿勢を判別し、判別結果に応じた表示となるよう出力画像生成部１１２および表示制御部１１３への指示をおこなう。
【００３５】
出力画像生成部１１２は、映像取得部１２０が取得した映像（画像）データに基づき、表示部１３０で表示させる画像を生成して、表示制御部１１３に出力する。本実施形態では、映像取得部１２０で取得・復調された映像（画像）データに基づく画像（フレーム画像）を生成する他、鑑賞者等への注意を促すメッセージなどを示した画面（以下、「注意喚起画面」とする）などを生成する。なお、注意喚起画面などの既定画面については予め用意されていてもよい。この場合は、制御部１１０を構成している補助記憶装置（例えば、ハードディスク装置など）に予め格納されている画像データを出力画像生成部１１２が読み出す。
【００３６】
なお、表示装置１００において３Ｄ表示をおこなう場合、映像撮影時点において両眼視差に基づく右眼用画像と左眼用画像（以下、双方を合わせたものは「両眼画像」と表記する）が用意されている画像データ（以下、「３Ｄ画像データ」とする）を用いるが、従来の撮影手法によって得られた両眼画像を含まない映像（単眼視映像）に基づく画像データ（以下、「２Ｄ画像データ」とする）が映像取得部１２０から入力された場合は、２Ｄ画像データから３Ｄ画像データに変換（３Ｄ化）する、いわゆる２Ｄ／３Ｄ変換を、出力画像生成部１１２がおこなってもよい。
【００３７】
この場合、出力画像生成部１１２は、既知の２Ｄ／３Ｄ変換技術を用いたオンライン変換（例えば、セグメンテーション）により、映像取得部１２０から入力された２Ｄ画像データから３Ｄ画像データへのリアルタイム変換をおこなうものとする。このような２Ｄ／３Ｄ変換をおこなった場合、単眼視映像から右眼用画像と左眼用画像が生成される。
【００３８】
表示制御部１１３は、表示部１３０を制御することで、状態判別部１１１からの指示に基づき、出力画像生成部１１２が生成した画像を、表示部１３０に表示出力する。ここで、３Ｄ表示をおこなう場合は、右眼用画像と左眼用画像とが交互に切替表示されるよう表示部１３０を制御する。この場合、表示制御部１１３は、当該切替表示と表示補助装置２００のシャッタ動作とを同期させるためのシャッタ同期信号を生成し、通信部１４０を介して表示補助装置２００に送信する。
【００３９】
本実施形態では、これらの機能を、制御部１１０による論理的な処理によって実現されるものとするが、上述した機能の一部もしくはすべてを、例えば、ＡＳＩＣ（Application Specific Integrated Circuit：特定用途向け集積回路）などによるハードウェア処理で実現されていてもよい。特に、画像処理にかかる機能については、いわゆる画像処理エンジンなどの専用回路によって実現されていてもよい。
【００４０】
以上が本発明の実施形態にかかる表示装置１００の構成であるが、表示装置として必要となるその他の構成については適宜備えられているものとして詳細な説明は省略する。例えば、本実施形態のようにテレビジョン表示装置として表示装置１００を構成する場合、映像とともに出力する音声にかかる処理をおこなう構成は別途備えられているものとする。
【００４１】
次に、表示補助装置２００の構成を、図４および図５を参照して説明する。
【００４２】
まず、表示補助装置２００の外観構成を示す図４（ａ）および図４（ｂ）と、表示補助装置２００の内部構成を示す図４（ｃ）とを参照して説明する。図４（ａ）は、鑑賞者と接する側から見た表示補助装置２００の外観構成を模式的に示した図であり、図４（ｂ）は、表示装置１００と対向する側から見た表示補助装置２００の外観構成を模式的に示した図である。また、図４（ｃ）は、表示補助装置２００の内部構成を示したブロック図である。
【００４３】
図示するように、本実施形態にかかる表示補助装置２００は、制御部２１０、装着検出部２２０（２２０Ａ、２２０Ｂ）、シャッタ部２３０（２３０Ｌ、２３０Ｒ）、通信部２４０、姿勢検出部２５０、などから構成される。
【００４４】
制御部２１０は、例えば、ＣＰＵや記憶装置（主記憶装置および補助記憶装置）などから構成され、論理的な処理の実行により各種の制御信号を生成し、表示補助装置２００の各部を制御する。なお、制御対象がアナログ回路である場合には、適宜、ＤＡＣなどによってアナログの制御信号に変換されるものとする。このような制御部２１０は、例えば、メガネ型の表示補助装置２００におけるフレームの内部に構成されているものとする。
【００４５】
装着検出部２２０は、例えば、接触センサなどから構成され、表示補助装置２００が鑑賞者に装着されたことを検出し、検出したことを示す信号を制御部２１０に送出する。本実施形態においては、例えば、図４（ａ）および図４（ｂ）に示すように、表示補助装置２００のノーズパッド（鼻あて）の位置と、テンプル（つる）の位置に装着検出部２２０が配置されるものとし、前者を装着検出部２２０Ａ、後者を装着検出部２２０Ｂとする。装着検出部２２０Ａおよび装着検出部２２０Ｂはそれぞれ、２つのセンサで１組の装着検出部２２０を構成しているものとする。
【００４６】
なお、装着検出部２２０が表示補助装置２００の電源スイッチとして機能してもよく、この場合、表示補助装置２００が鑑賞者に装着されたことで表示補助装置２００の電源がオンとなる。なお、表示補助装置２００の各部を駆動させる電源は、例えば、ボタン電池などのバッテリ（不図示）によってなされるものとするが、例えば、表示装置１００と有線通信する構成とした場合には、表示装置１００から電力が供給されるように構成してもよい。
【００４７】
シャッタ部２３０は、メガネのレンズに相当する部分を、光の透過を制御できる、例えば、液晶などの部材で構成したものであり、本実施形態では、液晶を利用したいわゆる液晶シャッタによって構成されているものとする。この場合、シャッタ部２３０に印加する電圧を制御することで、シャッタ部２３０における光の透過・非透過を制御する。本実施形態では、鑑賞者に表示補助装置２００が装着された際に、鑑賞者の左眼の位置にあるシャッタ部２３０をシャッタ部２３０Ｌとし、鑑賞者の右眼の位置にあるシャッタ部２３０をシャッタ部２３０Ｒとする。なお、本実施形態では、鑑賞者が表示装置１００の画面と対面した際に、画面に向かって右側となる眼を右眼、画面に向かって左側となる眼を左眼とする。
【００４８】
通信部２４０は、表示装置１００と通信するための構成であり、表示装置１００が採用している通信方式に対応した通信装置によって構成される。本実施形態では、表示装置１００における通信部１４０が赤外線通信を採用しているので、赤外線通信をおこなうことのできる装置等（すなわち、通信部１４０と同様の構成）によって通信部２４０が構成されている。ここで、通信部２４０の受発光部は、例えば、図４（ｂ）に参照番号２４０で示した位置に構成されているものとする。つまり、表示補助装置２００が鑑賞者に装着された際に、表示装置１００と対向する側に構成される。
【００４９】
姿勢検出部２５０は、鑑賞者に装着された表示補助装置２００の方向などを検出するものであり、例えば、重力センサ、傾斜センサ、３軸加速度センサなどから構成され、例えば、表示装置１００の表示画面に対し、表示補助装置２００が水平であるか垂直であるかを検出することができ、さらに、水平方向または垂直方向を基準とした傾き角度が検出できるセンサによって姿勢検出部２５０が構成されているものとする。本実施形態では、重力方向に基づいて、上述した傾きや角度が検出される構成であるものとし、検出した方向や角度を示す信号は制御部２１０に送出される。このような姿勢検出部２５０は、例えば、メガネ型の表示補助装置２００におけるフレームの内部（例えば、ノーズパッドの上部）に構成されているものとする。
【００５０】
以上の構成による表示補助装置２００の動作にかかる各種処理は、制御部２１０がプログラムを実行することで実現される。制御部２１０によって実現される機能を、図５を参照して説明する。図５は、制御部２１０によって実現される機能を示す機能ブロック図である。
【００５１】
図示するように、制御部２１０は、状態情報生成部２１１、シャッタ制御部２１２、などとして機能する。
【００５２】
状態情報生成部２１１は、通信部２４０を介して表示装置１００に送信する状態情報を生成する。この場合の状態情報は表示補助装置２００の状態を示す情報であり、装着検出部２２０および姿勢検出部２５０による検出結果を含んだものである。すなわち、状態情報生成部２１１は、装着検出部２２０によって表示補助装置２００が鑑賞者に装着されたことが検出されると、その旨を示す状態情報を生成し、通信部２４０を介して表示装置１００に送信する。また、姿勢検出部２５０を制御することで姿勢検出動作を実行させ、検出結果を示す状態情報を生成して表示装置１００に送信する。
【００５３】
シャッタ制御部２１２は、通信部２４０が受信したシャッタ同期信号に基づいて、シャッタ部２３０Ｌおよびシャッタ部２３０Ｒへの電圧印加を制御することで、表示装置１００で左眼用画像が表示されている間は、シャッタ部２３０Ｌが透過状態、シャッタ部２３０Ｒが非透過状態となるよう制御し、表示装置１００で右眼用画像が表示されている間は、シャッタ部２３０Ｌが非透過状態、シャッタ部２３０Ｒが透過状態となるよう制御する。
【００５４】
本実施形態では、これらの機能を、制御部２１０による論理的な処理によって実現されるものとするが、上述した機能の一部もしくはすべてを、例えば、ＡＳＩＣなどによるハードウェア処理で実現されていてもよい。
【００５５】
以上のような構成の表示システム１による動作を説明する。
【００５６】
表示装置１００と表示補助装置２００との協働によってなされる「３Ｄ表示処理」を、図６に示すフローチャートを参照して説明する。この「３Ｄ表示処理」は、例えば、表示装置１００が起動している状態で表示補助装置２００の電源がオンとなったことを契機に開始されるものとする。
【００５７】
すなわち、表示補助装置２００は３Ｄ表示用の装置（３Ｄメガネ）であるため、鑑賞者が３Ｄ表示を鑑賞したい場合に表示補助装置２００の電源がオンされて鑑賞者に装着される。この場合、鑑賞者への装着が装着検出部２２０によって検出され（ステップＳ１００１：Ｙｅｓ）、その旨が制御部２１０に入力される。
【００５８】
表示補助装置２００を装着した鑑賞者が３Ｄ表示を認識するためには、表示装置１００における両眼画像の切替表示と、シャッタ部２３０のシャッタ動作を同期させる必要がある。したがって、表示補助装置２００が鑑賞者に装着されたことを契機に、状態情報生成部２１１は、その旨を示す状態情報を生成し、通信部２４０によって表示装置１００へ送信することで、３Ｄ表示にかかる同期要求をおこなう（ステップＳ１００２）。
【００５９】
表示装置１００では、表示補助装置２００が送信した状態情報（装着＝３Ｄ表示同期要求）を通信部１４０が受信すると、当該状態情報が制御部１１０に入力される。この場合、状態判別部１１１は、３Ｄ表示をおこなう状態であると判別し、その旨を出力画像生成部１１２と表示制御部１１３に通知する。これにより、出力画像生成部１１２で３Ｄ表示用の両眼画像が取得もしくは生成され、表示制御部１１３が表示部１３０で両眼画像を切替表示するとともに、当該切替表示についてのシャッタ同期信号を生成し、通信部１４０から表示補助装置２００に送信する（ステップＳ１００３）。
【００６０】
表示補助装置２００では、通信部２４０がシャッタ同期信号を受信すると、制御部２１０に入力する。この場合、シャッタ制御部２１２が、受信したシャッタ同期信号に基づいてシャッタ部２３０Ｌおよびシャッタ部２３０Ｒへの電圧印加を制御することで、表示装置１００での切替表示に同期したシャッタ動作がおこなわれる（ステップＳ１００４）。
【００６１】
ここで、シャッタ同期信号を受信したことが、通信部２４０から状態情報生成部２１１に通知される。状態情報生成部２１１は、この通知をもって姿勢検出タイミングであると判別し（ステップＳ１００５：Ｙｅｓ）、姿勢検出部２５０に姿勢検出動作の実行を指示する。すなわち、表示補助装置２００を用いた３Ｄ表示の開始時点で姿勢検出動作をおこなう。
【００６２】
状態情報生成部２１１からの指示に応じて、姿勢検出部２５０が姿勢検出動作をおこなって、検出結果を状態情報生成部２１１に通知すると、状態情報生成部２１１は、当該検出結果を示す状態情報を生成し、通信部２４０を介して表示装置１００に送信する（ステップＳ１００６）。
【００６３】
表示装置１００では、表示補助装置２００から送信された状態情報（姿勢）に基づいて表示制御をおこなう「表示制御処理」を実行する（ステップＳ１１００）。この「表示制御処理」を、図７に示すフローチャートを参照して説明する。
【００６４】
ここでは、表示装置１００に対する表示補助装置２００の傾きに応じて、３Ｄ表示を適正化するための表示制御をおこなう。処理内容を説明する前に、表示補助装置２００の傾きについて、図８〜図１０を参照して説明する。
【００６５】
本実施形態にかかる表示装置１００はテレビジョン表示装置であるため、図８（ａ）に示すように、画面の左右方向（すなわち、長手方向）が水平方向となるよう固定的に表示装置１００が設置されていることを前提とする。この場合、鑑賞者は表示装置１００と正対して鑑賞することが通常の鑑賞姿勢であることから、図８（ａ）に示すように、表示補助装置２００もその左右方向が水平方向となっていることを基準とする。ここでは、図８（ａ）に示すように、表示補助装置２００の真下方向が重力方向と一致した場合において、当該方向と垂直となる方向を表示補助装置２００の水平方向とし、基準となる角度０°とする。
【００６６】
３Ｄ表示に用いられる両眼画像は、視差に相当する左右方向のズレがあるため、３Ｄ表示として認識するには、図８（ａ）に示したような方向で鑑賞することが望ましいが、ある程度の許容範囲を含んでいる。本実施形態では、図８（ｂ）および図８（ｃ）に示すような、基準角度の０°から±α°の範囲を許容範囲とし、この範囲を「正規視認範囲」とする。なお、α°は３Ｄ表示の仕様や表示装置１００の性能などによって任意に規定されるものであり、例えば、α°＝１５°程度であるものとする。このように、姿勢検出部２５０は、表示装置１００に対する表示補助装置２００のローリング方向の傾きを検出する。
【００６７】
従来の３Ｄ表示システムにおいては、このような水平方向に基づく正規視認範囲となる姿勢でなければ３Ｄ表示を正しく認識できなかったため、鑑賞者の姿勢に自由度がなかった。本発明では、後述する処理により、例えば、鑑賞者が横たわるような姿勢をとっても、正規視認範囲となるようにする。
【００６８】
ここで、鑑賞者が横たわった場合に想定される表示補助装置２００の方向を、図９および図１０を参照して説明する。
【００６９】
図９に示した例は、鑑賞者の頭部左側面が下側となるよう横たわった場合を想定している。この場合、図９（ａ）に示すような、基準角度０°から反時計回り方向に９０°（＋９０°とする）傾いた方向を基準とし、図９（ｂ）および図９（ｃ）に示すように、この＋９０°から±α°の範囲も正規視認範囲とする。
【００７０】
一方、鑑賞者の頭部右側面が下側になるよう横たわった場合の例を図１０に示す。この場合は、図１０（ａ）に示すような、基準角度０°から時計回り方向に９０°（−９０°とする）傾いた方向を基準とし、図１０（ｂ）および図１０（ｃ）に示すように、この−９０°から±α°の範囲も正規視認範囲とする。
【００７１】
以上のような角度設定を前提として、図７に示した「表示制御処理」を以下に説明する。
【００７２】
検出された表示補助装置２００の姿勢を示す状態情報を受信した表示装置１００では、状態情報が示す表示補助装置２００の角度に基づいて、上述した正規視認範囲内に表示補助装置２００があるか否かを状態判別部１１１が判別する。なお、図７では、判断ブロックについて単純化して説明しているが、実際には、一瞬傾いた（傾いている）か否かではなく、所定の時間（例えば、５秒）だけ傾き続けているか否か（正規視認範囲内に安定しているか否か）を判断するようにする。
【００７３】
ここで、表示補助装置２００の状態が、図８に示したような、水平方向を基準とした正規視認範囲（すなわち、表示補助装置２００の角度が「０°±α°」）である場合（ステップＳ１１０１：Ｙｅｓ）、図１１（ａ）に示すような画像（ここでは、家の画像）を通常の３Ｄ表示、すなわち、水平方向にずれた両眼画像を表示すれば正しく３Ｄ表示が認識されるので、このような表示（３Ｄ正立表示）となるよう、状態判別部１１１は、出力画像生成部１１２と表示制御部１１３に指示する（ステップＳ１１０２）。
【００７４】
すなわち、映像取得部１２０が取得する映像が３Ｄ画像であれば、出力画像生成部１１２は、そのままの両眼画像として取得し、表示制御部１１３は、当該両眼画像を表示部１３０に切替表示する。
【００７５】
そして、表示制御部１１３は、当該表示に応じたシャッタ同期信号を生成し、表示補助装置２００に送信する（ステップＳ１１０３）。
【００７６】
一方、表示補助装置２００の状態が、図９に示したような、鑑賞者の頭部左側面が下側となっている場合の正規視認範囲（すなわち、表示補助装置２００の角度が「＋９０°±α°」）である場合（ステップＳ１１０１：Ｎｏ、ステップＳ１１０４：Ｙｅｓ）、図１１（ｂ）に示すように、表示画像が左９０°回転するよう出力画像生成部１１２と表示制御部１１３に指示する。
【００７７】
すなわち、鑑賞者の頭部左側面が下側になっている姿勢であるため、これに合わせて表示画像を左９０°回転させる。この場合、出力画像生成部１１２は、取得した両眼画像のそれぞれを左９０°回転させる（ステップＳ１１０５）。この場合の両眼画像は、表示装置１００の画面上では縦方向にずれていることになる。
【００７８】
ここで、テレビジョン画像をはじめとした動画像は、横長のフォーマットであるため、このような画像を９０°回転させると画像全体を表示させることができない。よって、出力画像生成部１１２は、図１１（ｂ）に示すように、画像の長手方向のサイズが、表示画面の縦方向に収まるよう画像サイズを調整する（ステップＳ１１０６）。
【００７９】
表示制御部１１３は、出力画像生成部１１２によってこのように加工された両眼画像を表示部１３０で切替表示するとともに、当該切替表示に基づくシャッタ同期信号を生成して表示補助装置２００に送信する（ステップＳ１１０３）。
【００８０】
一方、表示補助装置２００の状態が、図１０に示したような、鑑賞者の頭部右側面が下側となっている場合の正規視認範囲（すなわち、表示補助装置２００の角度が「−９０°±α°」）である場合（ステップＳ１１０１：Ｎｏ、ステップＳ１１０４：Ｎｏ、ステップＳ１１０７：Ｙｅｓ）、図１１（ｃ）に示すように、表示画像が右９０°回転するよう出力画像生成部１１２と表示制御部１１３に指示する。
【００８１】
すなわち、鑑賞者の頭部右側面が下側になっている姿勢であるため、これに合わせて表示画像を右９０°回転させる。この場合、出力画像生成部１１２は、取得した両眼画像のそれぞれを右９０°回転させる（ステップＳ１１０８）。この場合の両眼画像は、表示装置１００の画面上では縦方向にずれていることになる。
【００８２】
この場合も、出力画像生成部１１２は、図１１（ｃ）に示すように、画像の長手方向のサイズが、表示画面の縦方向に収まるよう画像サイズを調整する（ステップＳ１１０６）。
【００８３】
表示制御部１１３は、出力画像生成部１１２によってこのように加工された両眼画像を表示部１３０で切替表示するとともに、当該切替表示に基づくシャッタ同期信号を生成して表示補助装置２００に送信する（ステップＳ１１０３）。
【００８４】
以上のように、本実施形態で想定される３つの正規視認範囲となっている場合は、その姿勢において正しく３Ｄ表示が認識されるよう、画像の表示方向やサイズが制御される。
【００８５】
ここで、このような正規視認範囲とならない姿勢で鑑賞している場合、３Ｄ画像における視差方向と、鑑賞者の視差方向とが乖離することになり、正しく３Ｄ表示として認識されないばかりか、不自然にずれた画像を視認することになり、視覚疲労や眼精疲労などといった生体への悪影響となるおそれがある。
【００８６】
よって、本実施形態では、鑑賞者がこのような姿勢である場合に、生体影響を低減させる動作をおこなう。
【００８７】
すなわち、上述した３つの正規視認範囲のいずれでもない場合（ステップＳ１１０１：Ｎｏ、ステップＳ１１０４：Ｎｏ、ステップＳ１１０７：Ｎｏ）、状態判別部１１１は、現在も表示補助装置２００が鑑賞者に装着されているか否かを判別する（ステップＳ１１０９）。
【００８８】
ここで、表示補助装置２００においては、装着検出部２２０が装着状態の変化を検出した場合、割り込み処理によってその旨を制御部２１０に通知するものとし、この場合、状態情報生成部２１１は、装着状態が変化した旨の状態情報を生成して表示装置１００に送信するものとする。
【００８９】
すなわち、鑑賞者が表示補助装置２００を取り外したことで、表示補助装置２００の方向が正規視認範囲とならなくなった場合は、取り外されたことを示す状態情報が表示補助装置２００から送信されるので、これに基づいて、状態判別部１１１は、装着状態が継続しているか否かを判別することができる。
【００９０】
ここで、表示補助装置２００が鑑賞者に装着されている状態で正規視認範囲外となっている場合（ステップＳ１１０９：Ｙｅｓ）、状態判別部１１１は、注意喚起画面が表示されるよう出力画像生成部１１２と表示制御部１１３に指示する。
【００９１】
この場合、出力画像生成部１１２は、例えば、文字によるメッセージを示す注意喚起画像を生成し、表示制御部１１３が、現在表示している映像に重畳されるように注意喚起画像を表示することで、図１２（ａ）に示すような注意喚起画面が表示部１３０に表示される（ステップＳ１１１０）。この場合、適正な姿勢とするよう鑑賞者に促すメッセージを表示部１３０に表示する。
【００９２】
この場合、注意喚起画像は、鑑賞者が確認しやすいように、２Ｄ画像として表示するようにしてもよい。また、重畳されるように注意喚起画像を表示することに限らず、注意喚起画像のみを表示するようにしてもよい。
【００９３】
ここで、状態判別部１１１は同時に、表示補助装置２００の姿勢を示したさらなる状態情報を提供するよう指示する指示信号（姿勢情報要求）を生成し、通信部１４０を介して表示補助装置２００に送信する（ステップＳ１１１０）。
【００９４】
表示補助装置２００では、表示装置１００から送信された姿勢情報要求に応じて、状態情報生成部２１１が姿勢検出部２５０を制御することで、現在の表示補助装置２００の傾き角度を検出させ、検出結果を示す姿勢情報を生成して表示装置１００に返信する（ステップＳ１００６（図６））。
【００９５】
表示装置１００では、表示補助装置２００から返信された姿勢情報を受信すると、状態判別部１１１が、上述したステップＳ１１０１、ステップＳ１１０４、ステップＳ１１０７と同様の判別をおこなうことで、表示補助装置２００の方向が依然として正規視認範囲ではないか否かを判別する（ステップＳ１１１１）。
【００９６】
ここで、表示補助装置２００の方向が、依然として正規視認範囲外である場合（ステップＳ１１１１：Ｙｅｓ）、注意喚起画面を表示しても鑑賞姿勢に変化がなかったことになる。この場合、そのまま３Ｄ表示を視認させると生体影響を及ぼすおそれがあるので、状態判別部１１１は、３Ｄ表示を停止して２Ｄ表示とするよう出力画像生成部１１２と表示制御部１１３に指示する。
【００９７】
この場合、出力画像生成部１１２は、映像取得部１２０が取得している映像が３Ｄ画像である場合には、両眼画像の一方のみを出力画像とする。また、映像取得部１２０が取得している画像が２Ｄ画像である場合は、出力画像生成部１１２による２Ｄ／３Ｄ変換によってこれまでの３Ｄ表示がおこなわれていたことになるので、出力画像生成部１１２は、２Ｄ／３Ｄ変換を停止する。
【００９８】
この場合、ステップＳ１１１２においては、２Ｄ画像が正立表示されるものとして説明しているが、正規視認範囲外であっても、正規視認範囲のうち、０°±α°、＋９０°±α°、−９０°±α°のどの範囲に近いかを判断し、最も近い正規視認範囲に対応するように２Ｄ画像を回転させて表示するようにしてもよい。
【００９９】
つまり、例えば、＋９０°＋α＋β（α＝１５°、β＝５°）のような姿勢で、鑑賞者が鑑賞していた場合、この場合は、２Ｄ画像を左９０°回転させた状態で表示するようにしてもよい。（０°±α°が最も近い場合は、ステップＳ１１１２の正立表示と同じになる。）
【０１００】
表示制御部１１３は、このようにして生成された２Ｄ画像を、切替表示をおこなわずにそのまま表示部１３０に表示する。ここでは、表示補助装置２００が鑑賞者に装着されている状態なので、表示制御部１１３は、２Ｄ表示に対応したシャッタ動作となるシャッタ同期信号を生成して表示補助装置２００に送信する。この場合、シャッタ部２３０Ｌとシャッタ部２３０Ｒの双方が透過状態とさせるシャッタ同期信号が生成される。
【０１０１】
表示補助装置２００では、このようなシャッタ同期信号に基づいたシャッタ動作となるため、図１２（ｂ）に示すような２Ｄ表示として鑑賞者に視認される。この場合、正規視認範囲ではないため、表示画像の方向については制御をおこなわない。すなわち、図１２（ｂ）に示すような、通常の正立表示とする（ステップＳ１１１２）。なお、このような２Ｄ表示は、３Ｄ表示にかかる両眼画像の一方を表示させない動作であるため、換言すると、３Ｄ表示の効果を低減させたこととなる。
【０１０２】
なお、注意喚起画面の表示後に正規視認範囲となった場合（ステップＳ１１１１：Ｎｏ）は、ステップＳ１１０１以降の処理をおこなうことで、該当する正規視認範囲に応じた表示制御がなされる。
【０１０３】
一方、表示補助装置２００が鑑賞者から取り外されたことで正規視認範囲外となっていた場合（鑑賞者から取り外されていると判断された場合）（ステップＳ１１０９：Ｎｏ）には、３Ｄ表示としての鑑賞がなされないことになるので、状態判別部１１１は、３Ｄ表示ではなく２Ｄ表示とするよう出力画像生成部１１２と表示制御部１１３に指示する。
【０１０４】
この場合、上述した場合と同様に、出力画像生成部１１２は、２Ｄ表示用の画像を生成し、表示制御部１１３は、この２Ｄ画像を、切替表示をおこなわずにそのまま表示部１３０に表示する。ここでは、表示補助装置２００が鑑賞者に装着されていないので、表示制御部１１３は、シャッタ同期信号の生成・送信を停止する。
【０１０５】
表示補助装置２００が装着されていない場合は、鑑賞者の姿勢が不明であるため、この場合も、表示画像の方向については制御をおこなわない。すなわち、図１２（ｂ）に示すような、通常の正立表示とする（ステップＳ１１１２）。
【０１０６】
以上のような処理により、鑑賞者の姿勢に応じた表示補助装置２００の方向（傾き）に応じた表示制御がなされ、これに対応したシャッタ同期信号が表示補助装置２００に送信されると、図６に示す「３Ｄ表示処理」のフローに戻る。
【０１０７】
上述した「表示制御処理」によって表示装置１００から送信されたシャッタ同期信号に基づくシャッタ動作をおこなっている表示補助装置２００では、所定の終了イベント（例えば、表示補助装置２００の電源オフなど）が発生するまで、ステップＳ１００４〜ステップＳ１００６の処理を繰り返しおこなう（ステップＳ１００７：Ｎｏ）。
【０１０８】
ここで、ステップＳ１００５で判別される姿勢検出タイミングは、例えば、一定の時間間隔によって周期的に発生するものとする。そして、その時々で検出された表示補助装置２００の姿勢（傾き）に応じて表示装置１００側が表示制御をおこない、その場合のシャッタ同期信号に基づいたシャッタ動作をおこなう。
【０１０９】
すなわち、鑑賞者の姿勢が変化しても、正規視認範囲であれば、その姿勢で正しく３Ｄ表示が認識されるよう表示制御がおこなわれる。
【０１１０】
また、正規視認範囲外となる姿勢となった場合には、姿勢を正しくするように促す画面を表示し、それでも是正されない場合は、２Ｄ表示とすることで、生体影響が生じないようにする。
【０１１１】
そして、表示補助装置２００における終了イベントが発生すると（ステップＳ１００７：Ｙｅｓ）、状態情報生成部２１１はその旨を示す状態情報を生成して表示装置１００に送信し、処理を終了する。
【０１１２】
終了を示す状態情報を受信した表示装置１００では、３Ｄ表示を終了して（ステップＳ１００８）、処理を終了する。すなわち、表示補助装置２００の電源がオフになれば、３Ｄ表示の鑑賞がなされないことになるので、３Ｄ表示を終了し、上述した動作と同様の動作をおこなうことで、２Ｄ表示への切替などをおこなう。
【０１１３】
また、上述した「表示制御処理」が実行されていないタイミングで、鑑賞者から表示補助装置２００が取り外された場合も終了イベントとなり、同様に３Ｄ表示が終了される。
【０１１４】
以上説明したように、本実施形態によれば、本来的に推奨される鑑賞姿勢以外の姿勢で鑑賞した場合であっても、３Ｄ表示として認識できるように表示制御するので、鑑賞姿勢の自由度を高めることができる。
【０１１５】
また、３Ｄ表示として正しく認識されない姿勢である場合には、正しい姿勢とするよう注意を促すので、生体への影響を防止・低減することができる。
【０１１６】
この場合、注意を促しても姿勢の是正がなされない場合には、３Ｄ表示をおこなわないので、生体への影響をより効果的に防止・低減することができる。
【０１１７】
なお、本実施形態では、図１２（ａ）に示すような注意喚起画面を表示することで、姿勢の是正を促すようにしたが、注意喚起の方法はこれに限られない。例えば、音声によって注意喚起をおこなってもよい他、メッセージの表示に代えて、例えば、画面を明滅させるなどといった、通常とは異なる表示態様とすることで注意喚起をおこなうようにしてもよい。
【０１１８】
なお、音声によって注意喚起をおこなう場合において、表示補助装置２００に音声を出力させる構成が備えられているのであれば、表示補助装置２００側から注意喚起の音声を発生させるようにしてもよい。
【０１１９】
また、表示補助装置側の左右のシャッタ２３０Ｌ、２３０Ｒをともに閉じて暗い状態にさせるようにして、注意喚起をおこなうようにしてもよい。もしくは、表示自体を消す、あるいは、黒画面にするといった、動作をおこなうようにしてもよい。
【０１２０】
本実施形態では、注意喚起のメッセージとしては、図１２（ａ）に示した「姿勢を適正にしてください。」といった姿勢の是正を促すものと説明したが、「専用のメガネをはずしてください。」といった２Ｄ画像視聴を促すものでもよい。そして、２Ｄ画像視聴を促す表示によって、専用のメガネ（表示補助装置２００）がはずされた場合、本実施形態のような装着検出機能を備える表示システムにあっては、２Ｄ表示されるようになる。
【０１２１】
また、本実施形態では、正規視認範囲外となった際に、注意喚起をおこなっても姿勢の是正がなされない、あるいは、３Ｄ用のメガネ（表示補助装置２００）がはずされない場合、３Ｄ表示から２Ｄ表示に変更する（３Ｄ表示の効果を低減させる）ものとしたが、生体への影響を低減できるのであれば、この例に限られるものではない。例えば、図１２（ｃ）に示すように、両眼画像のずれ量を、視認しても視覚疲労や眼精疲労を生じさせない程度に小さくすることなどにより、効果（強度）を低減させた３Ｄ表示を継続してもよい。
【０１２２】
（実施形態２）
上記実施形態１では、表示補助装置２００における姿勢検出の結果に基づいて、表示装置１００側で表示補助装置２００の状態を判別して表示制御をおこなうものとしたが、表示装置１００でおこなわれていた状態判別を表示補助装置２００がおこなうように構成してもよい。
【０１２３】
この場合、表示装置１００および表示補助装置２００の基本的な構成は実施形態１の場合と同様であるが、表示補助装置２００の制御部２１０によって実現される機能を、例えば、図１３に示すようなものとする。
【０１２４】
つまり、実施形態１（図５）で示した状態情報生成部２１１とシャッタ制御部２１２の他に、状態判別部２１３として機能を追加する。この状態判別部２１３は、実施形態１で例示した状態判別部１１１に相当する機能となる。
【０１２５】
また、実施形態１で示した状態情報生成部２１１は、本実施形態では、状態情報／切替同期信号生成部２１１とする（詳細後述）。
【０１２６】
このように構成した表示補助装置２００においては、姿勢検出部２５０の検出結果に基づいて状態判別部２１３が表示補助装置２００の状態を判別する。すなわち、実施形態１の「表示制御処理」（図７）にて、状態判別部１１１がステップＳ１１０１、ステップＳ１１０４、ステップＳ１１０７でおこなっていた判別を状態判別部２１３がおこなう。
【０１２７】
つまり、表示補助装置２００において、表示補助装置２００の方向（傾き）が「０°±α°」、「＋９０°±α°」、「−９０°±α°」のいずれかに該当するか否かが判別され、該当する場合には、対応する表示制御を指示する情報を状態情報として状態情報／切替同期信号生成部２１１が生成し、表示装置１００に送信する。
【０１２８】
また、状態情報／切替同期信号生成部２１１は、上記、表示制御を指示する情報として、状態情報の他に、表示補助装置２００の左右のシャッタ２３０Ｌ、２３０Ｒの制御に同期すべき表示装置側の左右画像の交互に表示させるための切替同期信号Ｌ／Ｒを生成し、表示補助装置２００側から送信する。
【０１２９】
すなわち、表示補助装置２００側から、例えば、「表示画面を左９０°回転させ、画像サイズを調整した上で、切替同期信号Ｌ／Ｒ信号に同期して左右画像を交互に切り替える表示せよ」という旨の指示情報が表示装置１００に送信され、表示装置１００では、表示補助装置２００からの指示情報に基づいて表示制御をおこなう。
【０１３０】
この場合、時分割表示の切り替え周期（たとえば、１／１２０秒）の基準となるクロックを表示補助装置２００側が作るようにし、このクロックを元に、左右のシャッタ２３０Ｌ、２３０Ｒの制御信号と対になる切替同期信号Ｌ／Ｒを生成すればよい。
【０１３１】
表示装置１００は、状態情報とともに切替同期信号Ｌ／Ｒを受信し、それに基づいて、３Ｄ表示にかかる表示制御、具体的には、状態情報（傾き）に応じた、表示の回転及び、切替同期信号Ｌ／Ｒに応じた、左右画像切り替えのタイミング調整（遅延制御）をおこなった上で左右画像の表示をおこなう。
【０１３２】
つまり、実施形態１では、従来の時分割３Ｄ表示システムと同様に、表示補助装置２００の左右のシャッタ２３０Ｌ、２３０Ｒは、表示装置１００の同期信号に基づいて制御されるが、実施形態２では、表示補助装置２００の左右のシャッタ２３０Ｌ、２３０Ｒは、表示補助装置２００側で自立的に切り替えられ、その代わり、それに同期すべき左右の画像を表示装置１００側に適切なタイミングで表示させるように、表示補助装置２００が表示装置１００を制御する。（そのための信号を送信する。）
【０１３３】
表示補助装置２００にあっては、実施形態２でも実施形態１の場合と同様に、表示装置１００は、表示装置１００に状態情報を送信する必要があるが、実施形態２では、このような表示補助装置２００側が主体となる制御をおこなうことにより、表示装置１００より表示補助装置２００のシャッタ動作を同期させるための信号を受信する必要がない。よって、表示補助装置２００の通信部２４０には受信する機能を持たせないようにすることができ、構成の簡素化を図ることができる。
【０１３４】
表示装置１００にあっては、実施形態２でも実施形態１の場合と同様に、表示補助装置２００の状態情報を受信する必要があるが、実施形態２では、このような表示補助装置２００側が主体となる制御をおこなうことにより、表示補助装置２００のシャッタ動作を同期させるための信号を生成して送る必要がない。よって、表示装置１００の通信部１４０は、実施形態１の場合と異なり、送信する機能を持たせないようにすることができ、構成の簡素化を図ることができる。
【０１３５】
また、このように、表示補助装置２００の制御部２１０に十分な処理能力を持たせられる場合には、表示補助装置２００の状態を判別する動作、切替同期信号を生成する動作を表示補助装置２００側でおこなうことにより、鑑賞者の姿勢変化に対する表示制御のタイムラグをより小さくすることもできる。
【０１３６】
なお、実施形態１および実施形態２で例示した表示制御では、鑑賞者の姿勢に基づき、表示補助装置２００の方向（傾き）が「＋９０°±α°」もしくは「−９０°±α°」である場合は、表示画像を９０°回転させた上で、画像の表示サイズを調整するようにしたが、例えば、姿勢変化が頻繁におこなわれる場合は、画像サイズも頻繁に変化するため、鑑賞しづらい可能性がある。
【０１３７】
よって、図１４（ａ）に示すように、図１４（ｂ）あるいは図１４（ｃ）のように９０°回転させたときに画面にフィットする画像サイズに予め調整した上で、正立表示時も表示するようにしてもよい。これにより、姿勢変化が頻繁におこなわれても、画像サイズの大きな変化を生じさせずに、表示方向のみを姿勢に合わせることができ、見やすい表示とさせることができる。
【０１３８】
このような動作を、例えば、姿勢変化の頻度に基づいておこなってもよい。例えば、一定時間内における姿勢変化の回数についての閾値を設定しておき、これを超える姿勢変化が生じた場合には、以降の表示については、調整後の画像サイズ（より小さいサイズ）に固定し、閾値を超えないようであれば、実施形態１で例示したように、画像方向を変更する都度、画像サイズを調整するように動作してもよい。
【０１３９】
また、上記実施形態における画像の回転（及びそれに基づく３Ｄ化）が頻繁におこなわれ、鑑賞しづらくなってしまうことを防止するために、角度判定においてヒステリシス特性を持たせるようにしてしてもよい。
【０１４０】
（実施形態２の変形例）
なお、実施形態２では、状態判別を表示補助装置２００でおこなうようにしたが、実施形態１と同様に、表示補助装置２００は、姿勢情報そのものを送信し、状態判別は表示装置１００側でおこなうようにしてよい。その場合、実施形態１との違いは、切替同期信号Ｌ／Ｒが表示補助装置２００で生成される点となる。
【０１４１】
（実施形態３）
上記各実施形態では、表示装置１００をテレビジョン表示装置とした場合を例に説明した。本発明にかかる表示装置はあらゆる表示装置に適用可能であるため、テレビジョン表示装置に限られるものではない。テレビジョン表示装置の場合、表示する映像の方向が固定されているため、画面自体の方向を変えることは想定されないが、例えば、デジタルフォトフレームに本発明を適用した場合、写真には横位置と縦位置があるため、これらに合わせて画面の方向自体を変えることが考えられる。
【０１４２】
この場合、例えば、図１５（ａ）に示すような、既知の回転支持機構を用いることで、表示部１３０を回転可能に支持できる表示装置１００を構成することができる。このような表示装置１００では、図１５（ｂ）および図１５（ｃ）に示すように、表示内容に応じて表示部１３０を回転させ、横長方向か縦長方向にすることができる。例えば、横位置で撮影された写真を表示する場合は、図１５（ｂ）に示すような横長方向とした方が画像を最大に表示することができ、縦位置で撮影された写真を表示する場合は、図１５（ｃ）に示すような縦長方向とした方が画像を最大に表示することができる。
【０１４３】
なお、ここでは、デジタルフォトフレームとして、図１５（ａ）〜（ｃ）に示すように、脚のある台座部に接続された表示部（フレーム部）が回転するような構造で説明しているが、台座部がなく、表示部（フレーム部）のみからなり、置き方によって上下左右が回転するような構造のものであってもよい。
【０１４４】
このような写真表示を主目的としたデジタルフォトフレームとして表示装置１００を構成した場合、上記各実施形態で例示した表示制御とは異なる表示制御とすることができる。この場合の例を、図１６を参照して説明する。ここでは、図示するような飛行機の画像が表示部１３０に表示されているものとする。
【０１４５】
例えば、図１６（ａ）に示すように、表示装置１００の表示部１３０が横長方向であり、表示補助装置２００の姿勢が「０°±α°」である場合において、図１６（ｂ）に示すように、表示補助装置２００の姿勢が「＋９０°±α°」もしくは「−９０°±α°」（図示省略）になったとする。
【０１４６】
上記実施形態の表示制御では、このような場合、表示画像を９０°回転させる処理をおこなった。これは、想定している画像が動画像やランドスケープ画像といった横長のフォーマットであることが前提となっているからである。
【０１４７】
デジタルフォトフレームで写真を表示する場合、例えば、より細部まで鑑賞したい場合には、視認する方向に関係なく、画像が最大に表示されることが好まれる場合がある。
【０１４８】
よって、表示補助装置２００が「＋９０°±α°」もしくは「−９０°±α°」となった場合でも、図１６（ｂ）に示すように、画像を回転させないようにしてもよい。
【０１４９】
しかし、この場合、３Ｄ表示として認識されるためには、鑑賞者の左右方向に対応する両眼画像が表示される必要がある。よって、出力画像生成部１１２および表示制御部１１３は、図１６（ｂ）に示すような、両眼画像が表示部１３０の縦方向でずれるような両眼画像を表示する。
【０１５０】
この場合、映像取得部１２０が取得する映像が３Ｄ画像である場合、出力画像生成部１１２は、当該３Ｄ画像を構成している両眼画像の一方のみを取得し、取得した単眼視画像に対して２Ｄ／３Ｄ変換をおこなうことで、表示部１３０における縦方向にずれた両眼画像を生成する。
【０１５１】
また、図１５に示したような構成を有する表示装置１００においては、上記各実施形態で例示した表示補助装置２００における姿勢検出部２５０と同様の構成を設けることで、表示部１３０の方向を検出することができる。
【０１５２】
そして、上述した「表示制御処理」に相当する処理において、表示補助装置２００の姿勢（方向）だけでなく、表示部１３０の方向を考慮した制御をおこなうことで、より多用な表示制御を実現することができる。
【０１５３】
例えば、図１７（ａ）に示すように、表示部１３０が横長方向で、表示補助装置２００の姿勢が「０°±α°」である状態から、図１７（ｂ）に示すように、表示部１３０を９０°回転させる。このとき、表示補助装置２００の姿勢は依然として「０°±α°」であるものとする。
【０１５４】
ここでも、写真を最大表示させるため、図１７（ｂ）に示すように、画像の表示方向は、表示部１３０の縦横との対応関係を維持させる。ここで、表示補助装置２００の姿勢に変化がない場合、表示している両眼画像のずれ方向を変える必要がある。よって、図１７（ｂ）に示すように、表示補助装置２００の左右方向に両眼画像がずれるよう出力画像生成部１１２が３Ｄ画像を生成する。
【０１５５】
この状態で、表示補助装置２００の姿勢が、図１７（ｃ）に示すように「＋９０°±α°」もしくは「−９０°±α°」（図示省略）となった場合、このときの表示補助装置２００の左右方向に両眼画像がずれる３Ｄ画像を出力画像生成部１１２が生成する。
【０１５６】
このように、デジタルフォトフレームのような表示装置にあっては、画面方向を変化させることができ、表示補助装置２００の姿勢（方向）だけでなく、画面方向も要素とすることで、より多用な表示制御をおこなうことができる。
【０１５７】
この場合においても、画面方向と表示補助装置２００の姿勢との相対関係が生体影響をもたらすものである場合には、上記各実施形態で例示したような、注意喚起や３Ｄ表示の停止もしくは３Ｄ効果の低減などを同様におこなうことで、３Ｄ表示の鑑賞にかかる生体影響の防止・低減を図ることができる。
【０１５８】
（実施形態３の変形例）
上記実施形態と同様に、画面方向を変化させることのできるデジタルフォトフレームのような表示装置における別の実施形態を説明する。
【０１５９】
デジタルフォトフレームには、ポートレート表示とランドスケープ表示を区別して、表示させられるものがある。例えば、図１８（ａ）に示すように、デジタルフォトフレームが横長（横置き）状態において、縦長の人物写真を表示する場合、その人物写真をポートレート表示と設定しておけば、デジタルフォトフレームが横長状態であっても、人物が正立するような状態に、自動的に回転（縮小）されて表示される機能である。その場合、図１８（ｂ）のように左右方向に両眼画像がずれるように２Ｄ／３Ｄ変換により３Ｄ画像を表示させる。
【０１６０】
しかし、鑑賞者が図１８（ｃ）のように横向きの姿勢になった場合、この自動回転表示機能をキャンセルさせ、表示補助装置２００の姿勢（方向）に対応する方向に回転させた上で、同様に、表示補助装置２００の姿勢（方向）に対応する３Ｄ表示させるようにしてもよい。
【０１６１】
このようなデジタルフォトフレームにおいても、表示補助装置２００の姿勢（方向）だけでなく、画面方向も要素とすることで、より多用な表示制御をおこなうことができる。
【０１６２】
（実施形態４）
上記各実施形態で例示した３Ｄ表示において、鑑賞した際に立体的に認識される対象は、実際に立体物として現れているのではなく、両眼視差から脳内で立体的に認識されるものであるため、３Ｄ表示としての認識は、生体的な立体視機能によってなされている。両眼視差による立体視機能の形成は、およそ５〜６歳頃までに完成されるといわれているため、立体視機能の形成が未熟な乳幼児が３Ｄ表示を鑑賞することも生体的に悪影響となるおそれがある。
【０１６３】
上記各実施形態において、表示補助装置２００が鑑賞者に装着されることを検出する装着検出部２２０を設けるものとし、ノーズパッド（鼻あて）の位置に配置される装着検出部２２０Ａと、テンプル（つる）の位置に配置される装着検出部２２０Ｂを例示した（図４（ａ）および図４（ｂ）参照）。
【０１６４】
ここで、表示補助装置２００全体のサイズを、例えば、乳幼児や小児の頭部にはフィットしないサイズとすれば、装着検出部２２０Ａと装着検出部２２０Ｂそれぞれの検出結果に基づいて、表示補助装置２００を装着する者が、３Ｄ表示を鑑賞すべきでない低年齢者であるか否かを判別することができる。
【０１６５】
すなわち、頭部の小さい低年齢者には大きめのサイズとなるように表示補助装置２００を形成すれば、当該低年齢者が表示補助装置２００を装着した場合、ノーズパッド（鼻あて）で顔に合わせるとテンプル（つる）の部分がフィットせず、テンプル（つる）で顔に合わせるとノーズパッド（鼻あて）の部分がフィットしない。
【０１６６】
すなわち、装着検出部２２０Ａまたは装着検出部２２０Ｂのいずれかのみが接触を検出することになるので、このような検出結果を状態情報として表示補助装置２００から表示装置１００に送信した場合、表示装置１００側では、例えば、図１２（ａ）に示したような注意喚起画面を表示するなどして、本人もしくは周囲の者に、鑑賞すべきでないことを通知する他、図１２（ｂ）に示すような２Ｄ表示とすることで、３Ｄ表示を鑑賞できないようにすることができる。
【０１６７】
このような動作により、生体的な発育状況の観点から３Ｄ表示の鑑賞をおこなうべきでない者が３Ｄ表示を鑑賞してしまうことを防止することができ、３Ｄ表示の鑑賞に起因する生体影響の防止・低減を図ることができる。
【０１６８】
なお、このような動作をおこなわない場合、表示補助装置２００に構成される装着検出部２２０は、装着検出部２２０Ａまたは装着検出部２２０Ｂのいずれかのみとしてもよい。
【０１６９】
以上説明したように、本発明を上記各実施形態の如く適用することで、３Ｄ表示の鑑賞自由度を高めるとともに生体影響の低減を図ることができる。
【０１７０】
上記実施形態は一例であり、本発明の適用範囲はこれに限られない。すなわち、種々の応用が可能であり、あらゆる実施の形態が本発明の範囲に含まれる。
【０１７１】
例えば、上記実施形態では、表示補助装置２００の姿勢検出動作を、周期的な実行タイミング毎におこなうものとしたが、これに限られず、姿勢検出部２５０を構成するセンサが常時検出動作をおこない、姿勢変化を検出した場合に表示制御処理をおこなうようにしてもよい。
【０１７２】
また、上記実施形態では、表示装置１００として、テレビジョン表示装置とデジタルフォトフレームを例示したが、これに限られるものではなく、種々の表示装置に本発明を適用することができる。
【０１７３】
上記実施形態で例示した３Ｄ表示は、右眼用の画像と左眼用の画像を時分割して表示し、表示補助装置（３Ｄ表示を認識させるものメガネ）の高速シャッタと同期させることで、表示装置で交互に表示された左右の像を分離して、３Ｄ表示をおこなう表示装置について説明したが、表示補助装置（３Ｄ表示を認識させるものメガネ）を用いて３Ｄ表示を実現する方式には、他にもいろいろな方式がある。
【０１７４】
表示装置側の方式としては、主に４種類ある。
１）上述した時分割方式（フレームシーケンシャル方式）
２）表示エリアで分割する方式
偶数ラインと奇数ライン走査線毎に右眼用の画像と左眼用の画像を割り付けるフィールドシーケンシャル方式（ライン・バイ・ライン方式）
隣り合う画素毎に右眼用の画像と左眼用の画像を割り付けるチェッカーサンプリング方式、
３）色（赤青）で分離するアナグリフ方式
４）偏光方向で分離する方式
（上記は、時分割と組み合わされることがある。）
【０１７５】
また、表示補助装置（メガネ）は、右眼用の画像と左眼用の画像を分離するが、その方式に大きく二つに分けられる。
ａ）アクティブ方式
上述した、表示装置で交互に表示された左右の像と同期させてメガネの高速シャッタで分離する方式
ｂ）パッシブ方式
表示装置から出た画像（光）に色をつけたり偏光を制御したりするなどして分割表示された画像を、メガネにある光学フィルタ（赤青・偏光フィルタ）などで分離する方式
（偏光制御の場合、シャッタ機能は表示装置側に設けられるものがある。）
【０１７６】
これらの方式の組み合わせにより、３Ｄ表示が実現されることになる。
【０１７７】
本願発明は、右眼用の画像と左眼用の画像を脳内で合成して認識する際の、画像における両眼視差の方向と鑑賞者の左右方向とが乖離してしまうという問題を解決するものであるので、表示補助装置を用いるものであれば、上記いずれの方式（の組み合わせ）であっても、同様に適用可能である。
【０１７８】
なお、表示補助装置（メガネ）がパッシブ方式の場合は、上記各実施形態で述べた表示装置と表示補助装置間の同期制御の部分が必要なくなる点が異なる。
【０１７９】
また、上記実施形態の表示補助装置２００と通信することのできる、３Ｄ表示可能な既存の表示装置にプログラムを適用することにより、本発明にかかる表示装置として機能させることもできる。この場合、上記実施形態で例示した制御部１１０と同様のコンピュータ（ＣＰＵなど）に、上述した機能と同様の機能を実現させるためのプログラムを実行させることで、本発明にかかる表示装置として機能させることができる。
【０１８０】
このようなプログラムの適用方法は任意であり、例えば、ＣＤ−ＲＯＭやメモリカードなどの記憶媒体に格納して適用できる他、例えば、インターネットなどの通信媒体を介して適用することもできる。
【０１８１】
以上、本発明のいくつかの実施形態を説明したが、本発明を適用し得る実施形態は、特許請求の範囲に記載された発明とその均等の範囲に含まれる。以下に、本願の出願当初の特許請求の範囲に記載された発明を付記する。
【０１８２】
（付記１）
右眼用の画像と左眼用の画像を表示することで３Ｄ表示をおこなう表示装置と、
前記表示された右眼用の画像と左眼用の画像を分離して視認させるための表示補助装置と、から構成される表示システムにおいて、
前記表示補助装置は、
該表示補助装置の状態を検出する状態検出手段と、
前記状態検出手段の検出結果を示す状態情報を前記表示装置に送信する送信手段と、を備え、
前記表示装置は、
前記送信手段が送信した状態情報を受信する受信手段と、
前記受信手段が受信した状態情報に基づいて、前記３Ｄ表示を制御する表示制御手段と、を備える、
ことを特徴とする表示システム。
【０１８３】
（付記２）
前記状態検出手段は、前記表示補助装置の傾きを検出し、
前記表示制御手段は、前記表示補助装置の傾きに応じて、前記３Ｄ表示にかかる画像表示を制御する、
ことを特徴とする付記１に記載の表示システム。
【０１８４】
（付記３）
前記表示装置は、
前記受信手段が受信した状態情報に基づいて、前記表示補助装置の状態を判別する状態判別手段をさらに備え、
前記表示制御手段は、前記状態判別手段が判別した前記表示補助装置の状態に応じて、前記３Ｄ表示を制御する、
ことを特徴とする付記１または２に記載の表示システム。
【０１８５】
（付記４）
前記表示補助装置は、
前記状態検出手段の検出結果に基づいて、前記表示補助装置の状態を判別する状態判別手段をさらに備え、
前記送信手段は、前記状態判別手段の判別に基づく状態情報を送信する、
ことを特徴とする付記１または２に記載の表示システム。
【０１８６】
（付記５）
前記右眼用の画像と左眼用の画像は、時分割、及び／又は、空間分割して表示される、
ことを特徴とする付記１乃至４のいずれか１つに記載の表示システム。
【０１８７】
（付記６）
前記右眼用の画像と左眼用の画像は、偏光方向によって分割されて表示される、
ことを特徴とする付記１乃至５のいずれか１つに記載の表示システム。
【０１８８】
（付記７）
右眼用の画像と左眼用の画像を分離して視認させるための表示補助装置との協働によって３Ｄ表示を実現する表示装置において、
前記表示補助装置が検出する該表示補助装置の状態を示す状態情報を受信する受信手段と、
前記受信手段が受信した、前記状態情報に基づいて、前記３Ｄ表示にかかる表示制御をおこなう表示制御手段と、
を備えることを特徴とする表示装置。
【０１８９】
（付記８）
前記状態情報が示す前記表示補助装置の傾きが、前記３Ｄ表示を鑑賞者が認識できる許容範囲内にあるか否かを判別する状態判別手段をさらに備え、
前記表示制御手段は、
前記状態判別手段が、前記表示補助装置の傾きが前記許容範囲内にあると判別した場合、当該傾きに応じて、前記３Ｄ表示にかかる画像の表示方向を制御する、
ことを特徴とする付記７に記載の表示装置。
【０１９０】
（付記９）
前記状態情報が示す前記表示補助装置の傾きが、前記３Ｄ表示を鑑賞者が認識できる許容範囲内にあるか否かを判別する状態判別手段をさらに備え、
前記表示制御手段は、
前記状態判別手段が、前記表示補助装置の傾きが前記許容範囲内にないと判別した場合、該表示補助装置を装着している鑑賞者に対し、注意喚起情報を出力する注意喚起情報出力手段をさらに備える、
ことを特徴とする付記７または８に記載の表示装置。
【０１９１】
（付記１０）
前記状態情報が示す前記表示補助装置の傾きが、前記３Ｄ表示を鑑賞者が認識できる許容範囲内にあるか否かを判別する状態判別手段をさらに備え、
前記表示制御手段は、
前記状態判別手段が、前記表示補助装置の傾きが前記許容範囲内にないと判別した場合、前記３Ｄ表示の効果を低減させる、
ことを特徴とする付記７乃至９のいずれか１つに記載の表示装置。
【０１９２】
（付記１１）
前記判別手段は、前記３Ｄ表示を鑑賞する鑑賞者への前記表示補助装置の装着状態を示す前記状態情報に基づいて、該鑑賞者が前記３Ｄ表示を鑑賞するに適当であるか否かを判別し、
前記鑑賞者が前記３Ｄ表示を鑑賞するに適当ではないと判別された場合、
前記表示制御手段は、前記３Ｄ表示の効果を低減させる、
ことを特徴とする付記７乃至１０のいずれか１つに記載の表示装置。
【０１９３】
（付記１２）
表示部の方向を検出する方向検出手段をさらに備え、
前記表示制御手段は、前記状態情報と前記方向検出手段の検出結果とに基づいて、前記３Ｄ表示にかかる表示制御をおこなう、
ことを特徴とする付記７乃至１１のいずれか１つに記載の表示装置。
【０１９４】
（付記１３）
表示装置による右眼用の画像と左眼用の画像を分離することで３Ｄ表示を実現する表示補助装置において、
該表示補助装置の傾き、及び／又は、前記表示装置の表示画面を鑑賞する鑑賞者への前記表示補助装置の装着状態を検出する状態検出手段と、
該状態検出手段が検出した前記表示補助装置の状態に基づいて、前記表示装置の表示動作を制御させるための状態情報を生成する状態情報生成手段と、
前記状態情報生成手段が生成した状態情報を、前記表示装置に送信する送信手段と、
を備えることを特徴とする表示補助装置。
【０１９５】
（付記１４）
前記表示補助装置は、
時分割して表示される画像に同期してシャッタ動作をおこなうための切替同期信号を生成する信号生成手段をさらに備え、
前記送信手段は、前記信号生成手段で生成された前記切替同期信号を送信する、
ことを特徴とする付記１３に記載の表示補助装置。
【０１９６】
（付記１５）
右眼用の画像と左眼用の画像を分離して視認させるための表示補助装置との協働によって３Ｄ表示を実現する表示装置を制御するコンピュータに、
前記表示補助装置が検出する該表示補助装置の状態を示す状態情報を受信する機能と、
受信した前記状態情報に基づいて、前記３Ｄ表示にかかる表示制御をおこなう機能と、
を実現させることを特徴とするプログラム。
【符号の説明】
【０１９７】
１…表示システム、１００…表示装置、１１０…制御部、１１１…状態判別部、１１２…出力画像生成部、１１３…表示制御部、１２０…映像取得部、１３０…表示部、１４０…通信部、２００…表示補助装置、２１０…制御部、２１１…状態情報生成部（状態情報／切替同期信号生成部）、２１２…シャッタ制御部、２１３…状態判別部、２２０（２２０Ａ、２２０Ｂ）…装着検出部、２３０（２３０Ｌ、２３０Ｒ）…シャッタ部、２４０…通信部、２５０…姿勢検出部
【図１】
0005594208.tif 000002
【図２】
0005594208.tif 000003
【図３】
0005594208.tif 000004
【図４】
0005594208.tif 000005
【図５】
0005594208.tif 000006
【図６】
0005594208.tif 000007
【図７】
0005594208.tif 000008
【図８】
0005594208.tif 000009
【図９】
0005594208.tif 000010
【図１０】
0005594208.tif 000011
【図１１】
0005594208.tif 000012
【図１２】
0005594208.tif 000013
【図１３】
0005594208.tif 000014
【図１４】
0005594208.tif 000015
【図１５】
0005594208.tif 000016
【図１６】
0005594208.tif 000017
【図１７】
0005594208.tif 000018
【図１８】
0005594208.tif 000019